(57)【要約】【課題】各吹き出し口からの風向きを変更する等の気流制御を的確に行うことができる空調システムを提供する。【解決手段】空調システム１は、室内機２ａ〜２ｄと、メモリ３５及び制御部３７を有する空調制御装置３とを備える。各室内機２ａ〜２ｄは、複数の吹き出し口２１ａ〜２１ｄを介して室内に空調空気を供給する。メモリ３５は、風向パターン３６ａ，３６ｂ，３６ｃ，・・・を複数記憶する。風向パターン３６ａ，３６ｂ，３６ｃ，・・・は、各室内機２ａ〜２ｄの各吹き出し口２１ａ〜２１ｄから吹き出される空調空気の風向きを含む。制御部３７は、所定条件に応じて風向パターン３６ａ，３６ｂ，３６ｃ，・・・を選択し、選択した風向パターン３６ａ，３６ｂ，３６ｃ，・・・に基づいて各室内機２ａ〜２ｄを制御する。【選択図】図１１
2009299965.tif 000002
【特許請求の範囲】
【請求項１】
複数の吹き出し口（２１ａ〜２１ｄ）を介して室内に空調空気を供給する空調部（２ａ〜２ｄ，１０２ａ〜１０２ｄ）と、
各前記吹き出し口（２１ａ〜２１ｄ）から吹き出される空調空気の風向きを含む風向パターン（３６ａ，３６ｂ，・・・、１３６ａ，１３６ｂ，・・・）、を複数記憶する記憶部（３５，１３５）と、
所定条件に応じて前記風向パターンを選択し、選択した前記風向パターンに基づいて前記空調部（２ａ〜２ｄ，１０２ａ〜１０２ｄ）を制御する制御部（３８，１３８）と、
を備える、空調システム（１，１０１）。
【請求項２】
前記風向パターン（３６ａ，３６ｂ，・・・、１３６ａ，１３６ｂ，・・・）には、各前記吹き出し口（２１ａ〜２１ｄ）から吹き出される空調空気の風速及び風温の少なくとも１つが更に含まれる、
請求項１に記載の空調システム（１，１０１）。
【請求項３】
前記所定条件には、現在の時刻が所定の時間帯に該当するという条件が含まれる、
請求項１または２に記載の空調システム（１，１０１）。
【請求項４】
室外の温度を検知する温度検知部（１０４）を更に備え、
前記所定条件には、前記温度検知部（１０４）により検知された前記室外の温度が第１閾値以上であるという条件、及び前記室外の温度と前記室内の温度との差が第２閾値以上という条件、の少なくとも１つが含まれる、
請求項１〜３のいずれかに記載の空調システム（１０１）。
【請求項５】
前記空調部（２ａ〜２ｄ）は、
前記吹き出し口（２１ａ〜２１ｄ）から吹き出された空調空気を上下方向に導くための上下フラップ（２２ａ〜２２ｄ）と、
前記吹き出し口（２１ａ〜２１ｄ）から吹き出された空調空気を左右方向に導くための左右ルーバ（２３ａ〜２３ｄ）と、
を有し、
前記制御部（３８）は、選択した前記風向パターン（３６ａ，３６ｂ，・・・）に基づいて前記上下フラップ（２２ａ〜２２ｄ）及び前記左右ルーバ（２３ａ〜２３ｄ）の配置角度を制御する、
請求項１〜４のいずれかに記載の空調システム（１）。
【請求項６】
前記空調部（２ａ〜２ｄ）は、複数の前記吹き出し口（２１ａ〜２１ｄ）が設けられた１つの室内機である、
請求項１〜５のいずれかに記載の空調システム（１）。
【請求項７】
前記空調部（２ａ〜２ｄ）は、複数の室内機であって、
複数の前記室内機それぞれには、複数の前記吹き出し口（２１ａ〜２１ｄ）が設けられており、
各前記風向パターン（３６ａ，３６ｂ，・・・）には、各前記空調部（２ａ〜２ｄ）の前記吹き出し口（２１ａ〜２１ｄ）それぞれから吹き出される空調空気の風向きが含まれている、
請求項１〜５のいずれかに記載の空調システム（１）。
【請求項８】
前記風向パターン（３６ａ，３６ｂ，・・・）には、所定空間を取り囲むようにして空調空気を吹き出させるような風向きが含まれている、
請求項７に記載の空調システム（１）。
【発明の詳細な説明】
【技術分野】
【０００１】
本発明は、空調システムに関する。
【背景技術】
【０００２】
従来より、飲食店等の店舗や事務所等の比較的広い空間には、空調システムが備えられている。空調システムには、室内機の各吹き出し口から均等に空調空気を吹き出させて空調を行うものや、単に空調空気を吹き出させるだけではなく空調対象空間について気流制御を行うものがある。気流制御を行う空調システムとしては、例えば特許文献１に開示されているように、赤外線センサを用いてユーザの位置に対応する高輻射温度部位を検知し、この検知結果に基づいて気流制御を行うものが知られている。この空調システムによると、例えば室内機の各吹き出し口から均等に吹き出されていた空調空気は、検知された高輻射温度部位によっていずれかの吹き出し口から局所的に吹き出されるようになる。
【特許文献１】特許第３８０７３０５号公報
【発明の開示】
【発明が解決しようとする課題】
【０００３】
また、特許文献１以外の気流制御を行う空調システムとしては、赤外線センサ等を用いず、リモートコントローラからの指示に基づいて各吹き出し口からの空調空気の風向きを変更することで、気流制御を行うものが知られている。しかし、この空調システムにおいて、各吹き出し口からの空調空気の風向きを変更する場合には、ユーザがその都度リモートコントローラを介して風向きの設定を行う必要がある。従って、ユーザの利便性が損なわれてしまう。
【０００４】
そこで、本発明は、各吹き出し口からの空調空気の風向きを変更する等の気流制御を、的確に行うことができる空調システムの提供を目的とする。
【課題を解決するための手段】
【０００５】
発明１に係る空調システムは、空調部と、記憶部と、制御部とを備える。空調部は、複数の吹き出し口を介して室内に空調空気を供給する。記憶部は、風向パターンを複数記憶する。風向パターンは、各吹き出し口から吹き出される空調空気の風向きを含む。制御部は、所定条件に応じて風向パターンを選択し、選択した風向パターンに基づいて空調部を制御する。
【０００６】
この空調システムによると、所定条件に応じて風向パターンが切り換えられる。そのため、各吹き出し口から吹き出される空調空気の風向きは、リモートコントローラからの指示がなくとも、所定条件に応じて自動的に変更される。従って、例えば空調部が設置された環境等に応じて、きめ細かい気流制御が行われるようになる。
【０００７】
発明２に係る空調システムは、発明１に係る空調システムであって、風向パターンには、各吹き出し口から吹き出される空調空気の風速及び風温の少なくとも１つが更に含まれる。
【０００８】
この空調システムによると、風向パターンの切換が行われた際、各吹き出し口から吹き出される空調空気の風向きだけではなく、風速及び風温も切り換えられるようになる。従って、空調部が設置された環境等に適した気流制御が行われるようになる。
【０００９】
発明３に係る空調システムは、発明１または２に係る空調システムであって、所定条件には、現在の時刻が所定の時間帯に該当するという条件が含まれる。
【００１０】
この空調システムによると、現在の時刻が、例えば午後１２時〜１３時の時間帯のように、室内に人が比較的多くいるとされる時間帯に該当する場合、制御部は、例えば全ての方向に空調空気が吹き出されるような風向パターンを選択することができる。このように、この空調システムによると、現在の時刻に応じてより適切な気流制御が行われるようになる。
【００１１】
発明４に係る空調システムは、発明１〜３のいずれかに係る空調システムであって、温度検知部を更に備える。温度検知部は、室外の温度を検知する。そして、所定条件には、温度検知部により検知された室外の温度が第１閾値以上であるという条件、及び室外の温度と室内の温度との差が第２閾値以上という条件、の少なくとも１つが含まれる。
【００１２】
この空調システムによると、現在の室外温度が例えば３０℃以上である場合、また、室外温度と室内温度との差が例えば８℃以上である場合、制御部は、例えば窓際付近に冷風が吹き付けられるような風向パターンを選択することができる。つまり、この場合、空調システムは、室内を弱冷房のままにし、暑くなった箇所のみ強冷房にすることができる。これにより、室外温度が第１閾値以上、または室外温度と室内温度との差が第２閾値以上であるにもかかわらず、気流制御の切換を行わずに放置したことで室内全体が暑くなってしまったため、室内全体の冷房を強化する場合よりも、空調部により消費されるエネルギーを最小限に抑えることができる。また、現在の室外温度に応じてより室内が快適となるような気流制御を行うことができる。
【００１３】
発明５に係る空調システムは、発明１〜４のいずれかに係る空調システムであって、空調部は、上下フラップと、左右ルーバとを有する。上下フラップは、吹き出し口から吹き出された空調空気を上下方向に導くためのものである。左右ルーバは、吹き出し口から吹き出された空調空気を左右方向に導くためのものである。そして、制御部は、選択した風向パターンに基づいて、上下フラップ及び左右ルーバの配置角度を制御する。
【００１４】
この空調システムによると、制御部は、選択した風向パターンに基づいて、空調部の上下フラップ及び左右ルーバの配置角度を制御することができる。これにより、各吹き出し口からは、様々な方向に空調空気が吹き出されるようになる。
【００１５】
発明６に係る空調システムは、発明１〜５のいずれかに係る空調システムであって、空調部は、複数の吹き出し口が設けられた１つの室内機である。
【００１６】
この空調システムによると、１台の室内機からは、選択された風向パターンに応じて、空調空気が様々な方向に吹き出されるようになる。
【００１７】
発明７に係る空調システムは、発明１〜５のいずれかに係る空調システムであって、空調部は、複数の室内機である。複数の室内機それぞれには、複数の吹き出し口が設けられている。そして、各風向パターンには、各空調部の吹き出し口それぞれから吹き出される空調空気の風向きが含まれている。
【００１８】
この空調システムには、いわゆる多方向吹きの室内機が複数台設けられており、１つの風向パターンには、各室内機における複数の吹き出し口それぞれから吹き出される空調空気の風向きが含まれている。従って、制御部は、各室内機における複数の吹き出し口それぞれから吹き出される空調空気の風向きを、１つの風向パターンに基づいて同時に変更することができる。
【００１９】
発明８に係る空調システムは、発明７に係る空調システムであって、風向パターンには、所定空間を取り囲むようにして空調空気を吹き出させるような風向きが含まれている。
【００２０】
この空調システムによると、冷房運転を行う室内機の吹き出し口、及び該室内機における隣接機の吹き出し口双方が協調して冷気を流出し難い気流を発生させることができる。これにより、例えば冷房運転による冷気が所定空間外に漏れることを防ぐことができる。
【発明の効果】
【００２１】
発明１に係る空調システムによると、例えば空調部が設置された環境等に応じて、きめ細かい気流制御が行われるようになる。
【００２２】
発明２に係る空調システムによると、空調部が設置された環境等に適した気流制御が行われるようになる。
【００２３】
発明３に係る空調システムによると、現在の時刻に応じてより適切な気流制御が行われるようになる。
【００２４】
発明４に係る空調システムによると、室内全体の冷房を強化する場合よりも、空調部により消費されるエネルギーを最小限に抑えることができると共に、現在の室外温度に応じてより室内が快適となるような気流制御を行うことができる。
【００２５】
発明５に係る空調システムによると、各吹き出し口からは、様々な方向に空調空気が吹き出されるようになる。
【００２６】
発明６に係る空調システムによると、１台の室内機からは、選択された風向パターンに応じて、空調空気が様々な方向に吹き出されるようになる。
【００２７】
発明７に係る空調システムによると、制御部は、各室内機における複数の吹き出し口それぞれから吹き出される空調空気の風向きを、１つの風向パターンに基づいて同時に変更することができる。
【００２８】
発明８に係る空調システムによると、冷房運転を行う室内機の吹き出し口、及び該室内機における隣接機の吹き出し口双方が協調して冷気を流出し難い気流を発生させることができる。これにより、例えば冷房運転による冷気が所定空間外に漏れることを防ぐことができる。
【発明を実施するための最良の形態】
【００２９】
以下、本発明に係る空調システムについて、図面を用いて詳細に説明する。
【００３０】
＜第１実施形態＞
（１）空調システムの概要
図１は、本発明の第１実施形態に係る空調システム１の構成を概略的に示す図である。空調システム１は、建物ＲＡ内に設置されている複数の室内機２ａ，２ｂ，２ｃ，２ｄ（空調部に相当）を、空調制御装置３で統括して制御するシステムである。図１の空調システム１は、主として、複数の室内機２ａ〜２ｄ及び空調制御装置３を備える。
【００３１】
尚、本実施形態に係る室内機２ａ〜２ｄは、４方向へ空気を吹き出すことができる天井設置型の室内機であって、図２に示すように建物内ＲＡ内に４つ設けられている場合を例に取る。そして、各室内機２ａ〜２ｄには、空調制御装置３による各室内機２ａ〜２ｄの制御の便宜上、各室内機を識別するための情報として室内機ＩＤ１〜４が振り当てられている。ここで、図２は、建物ＲＡの上面視における室内機２ａ〜２ｄ及び空調制御装置３の配置図である。
【００３２】
また、空調制御装置３は、室内機２ａ〜２ｄと同じ建物ＲＡ内に設置されていてもよく、また建物ＲＡとは異なる建物に設置されていてもよいが、本実施形態では、図２に示すように、室内機２ａ〜２ｄと同じ建物ＲＡ内の壁に設置されている。このような空調制御装置３は、各室内機２ａ〜２ｄと配線を介して接続されている。
【００３３】
（２）構成
（２−１）室内機
次に、室内機２ａ〜２ｄの構成について、図１〜４を用いて説明する。尚、以下の室内機２ａ〜２ｄの構成の説明では、室内機２ａ〜２ｄ全てが同じ構造を有しているため、説明の便宜上、室内機２ａ〜２ｄを単に“室内機２”と記載する。
【００３４】
図３に示すように、室内機２は、本体２１、上下フラップ２２ａ，２２ｂ，２２ｃ，２２ｄ及び左右ルーバ２３ａ，２３ｂ，２３ｃ，２３ｄを有する。本体２１は、箱状の形状を有しており、下面には４つの吹き出し口２１ａ，２１ｂ，２１ｃ，２１ｄが形成されている（図１及び図２）。４つの吹き出し口２１ａ〜２１ｄは、本体２１の下面における４辺に沿ってそれぞれ細長い形状に形成されており、各吹き出し口２１ａ〜２１ｄには、各吹き出し口２１ａ〜２１ｄを識別するための情報として吹き出し口ＩＤ１〜４が振り当てられている。この吹き出し口ＩＤ１〜４は、室内機２に割り当てられた室内機ＩＤ１〜４と同様、空調制御装置３による室内機２の制御の際に用いられる。
【００３５】
そして、上下フラップ２２ａ〜２２ｄ及び左右ルーバ２３ａ〜２３ｄは、それぞれ本体２１の各吹き出し口２１ａ〜２１ｄ付近に設けられている。上下フラップ２２ａ〜２２ｄは、各吹き出し口２１ａ〜２１ｄから吹き出された空調空気を上下方向に導くための風向調整板であって、各吹き出し口２１ａ〜２１ｄの形状と同様に細長い矩形状に形成されている。上下フラップ２２ａ〜２２ｄは、図４（ａ）に示すように、本体２１に対し上下に回動することで、各吹き出し口２１ａ〜２１ｄを開閉することができる。図４（ａ）は、上下フラップ２２ａ〜２２ｄが採り得る位置の例として、フラップが水平であるフラップ位置１（水平）、フラップ位置１から下方に３０°回動した状態であるフラップ位置３（３０°）、及びフラップ位置１から下方に９０°回動した状態であるフラップ位置９（９０°）を示している。左右ルーバ２３ａ〜２３ｄは、各吹き出し口２１ａ〜２１ｄから吹き出された空調空気を左右方向に導くための風向調節板である。各左右ルーバ２３ａ〜２３ｄは、図４（ｂ）に示すように、所定の間隔で並べられた複数の板で構成されており、本体２１に対し左右に回動することができる。図４（ｂ）は、左右ルーバ２３ａ〜２３ｄが採り得る位置の例として、ルーバが垂直に位置するルーバ位置１（０°）、ルーバ位置１から図４（ｂ）における右方向に５°回動した状態であるルーバ位置２（５°）、及びルーバ位置１から図４（ｂ）における右方向に１０°回動した状態であるルーバ位置３（１０°）を示している。
【００３６】
また、本体２１の内部には、図３に示すように、通信部２４、室内温度センサ２５、送風ファン２６、制御部２７及び各種モータが設けられている。通信部２４は、各室内機２ａ〜２ｄと通信を行うための通信用インターフェースである。室内温度センサ２５は、建物ＲＡ内（即ち室内）の温度を検知する。送風ファン２６は、例えばターボファンであって、各吹き出し口２１ａ〜２１ｄを介して空調空気が室内に送られるように空気流を生成する。制御部２７は、通信部２４、室内温度センサ２５及び各種モータと接続されており、これらの各種機器の制御を行う。モータは、上下フラップ２２ａ〜２２ｄ、左右ルーバ２３ａ〜２３ｄ及び送風ファン２６の駆動源として機能する。更に、本体２１の内部には、図示してはいないが、室内に送られる前の空気と熱交換を行う熱交換器等が設けられている。
【００３７】
（２−２）空調制御装置
次に、空調制御装置３の構成について、図５〜８を用いて説明する。図５に示すように、空調制御装置３は、通信部３１、操作パネル３２、メモリ３５及び制御部３８を有している。
【００３８】
〔通信部〕
通信部３１は、各室内機２ａ〜２ｄと通信を行うための通信用インターフェースである。例えば、通信部３１は、室内機２ａ〜２ｄの室内温度センサ２５が検知した室内の温度を受信することができる。また、通信部３１は、各室内機２ａ〜２ｄの運転指示や風向きを制御するための指示等を、各室内機２ａ〜２ｄに送信することができる。
【００３９】
〔操作パネル〕
操作パネル３２は、表示部３３と、操作部３４とで構成される。表示部３３は、例えば液晶ディスプレイ及びマトリクススイッチ等で構成されるタッチパネルであって、各種画面を表示することができる。ここで、表示部３３が表示する画面としては、例えば図６に示すように、後述する制御部３８が行う気流制御に関する設定画面ｓｃ１，ｓｃ２，ｓｃ３が挙げられる。設定画面ｓｃ１は、各室内機２ａ〜２ｄの気流制御に関する各種設定が行われる際に最初に表示される画面であって、風向パターン登録ボタンｂ１や、スケジューリングボタンｂ２を有している。風向パターン登録ボタンｂ１は、風向パターン３６ａ，３６ｂ，３６ｃ・・・（図５）を登録するための、風向パターン登録画面ｓｃ２の表示用ボタンである。スケジューリングボタンｂ２は、制御部３８が風向パターン３６ａ，３６ｂ，３６ｃ・・・切換時の条件として用いる所定条件を決定するための、スケジューリング画面ｓｃ３の表示用ボタンである。これらのボタンｂ１，ｂ２は、いずれも選択可能に表示される。
【００４０】
ここで、上記風向パターン登録画面ｓｃ２において登録される風向パターン３６ａ，３６ｂ，３６ｃ・・・について説明する。風向パターン３６ａ，３６ｂ，３６ｃ・・・は、各室内機２ａ〜２ｄの吹き出し口２１ａ〜２１ｄそれぞれから吹き出される空調空気の風向き等を定めた情報であって、空調空気の風向きの他に、空調空気の風速、風温が含まれている（図７参照）。そして、風向パターン登録画面ｓｃ２において設定された各風向パターン３６ａ，３６ｂ，３６ｃ・・・には、各風向パターン３６ａ，３６ｂ，３６ｃ・・・の内容を識別するための情報として、別々の風向パターンＩＤが振り当てられている。尚、本実施形態では、図６の風向パターン登録画面ｓｃ２に示すように、空調空気の風向きを、各吹き出し口２１ａ〜２１ｄにおける上下フラップ２２ａ〜２２ｄの位置（即ち、フラップ位置。）及び左右ルーバ２３ａ〜２３ｄの位置（即ち、ルーバ位置）で表している。
【００４１】
また、上記スケジューリング画面ｓｃ３において決定される所定条件としては、現在の時刻が所定の時間帯に該当するという条件が挙げられる。例えば、図６のスケジューリング画面ｓｃ３には、期間“７月〜８月の土日”、時間帯“１２：３０〜１３：３０”、風向パターンＩＤ“１”が入力されているが、この場合、７〜８月の土日において、現在の時刻が１２：３０〜１３：３０の時間帯に該当すれば（所定条件）、現在の風向パターンが、風向パターンＩＤ“１”に対応する風向パターンに変更される旨を示している。以下では、このようにして決定される所定条件、及びこの所定条件が満たされる時に変更されるべき風向パターンＩＤの組み合わせを、“組み合わせパターン”という。
【００４２】
操作部３４は、例えば決定キーや選択キー、数字キー等の各種キーと、ペン型のポインティングデバイス（図１の３４ａ）とで構成される。操作部３４は、表示部３３に表示された各種画面ｓｃ１〜ｓｃ３に基づいて、室内機２ａ〜２ｄの気流制御に関する各種設定が行われる場合等に用いられる。例えば、表示部３３に図６の画面ｓｃ２が表示されている場合、この空調システム１の施工業者は、キーを押したりペン型のポインティングデバイスで表示部３３に直接触れたりすることで、画面ｓｃ２上から風向パターン３６ａ，３６ｂ，３６ｃ・・・を登録することができる。
【００４３】
〔メモリ〕
メモリ３５は、例えばＨＤＤやフラッシュメモリ等で構成され、図５に示すように、複数の風向パターン３６ａ，３６ｂ，３６ｃ・・・を記憶する。ここでいう風向パターン３６ａ、３６ｂ，３６ｃ・・・とは、図６の風向パターン登録画面ｓｃ２を介して施工業者により登録された風向パターンである。具体的には、メモリ３５は、複数の風向パターン３６ａ，３６ｂ，３６ｃ・・・を、図７に示すような風向パターンテーブル３６として記憶している。図７の風向パターンテーブル３６には、１つの風向パターンＩＤに対し、複数の室内機ＩＤ１〜４と各室内機のモードとが対応付けられている。更に、図７の風向パターンテーブル３６には、室内機２ａ〜２ｄそれぞれが有する各吹き出し口２１ａ〜２１ｄの吹き出し口ＩＤ１〜４に対し、上下フラップ２２ａ〜２２ｄのフラップ位置、左右ルーバ２３ａ〜２３ｄのルーバ位置、風速、及び風温が対応付けられている。尚、図７の風向パターンテーブル３６におけるモードには、“冷房”“暖房”“停止”“冷房かつエアカーテン”のいずれかが当てはめられ、風速には、“弱”“強”“無し”のいずれかが当てはめられる。また、図７においては、風温は、２５度、２０度、１８度の順に“１〜３”の数値で示されており、特に吹き出し口の風速が“無し”である場合には、“０”が割り当てられている。
【００４４】
ここで、“エアカーテン”とは、所定空間を取り囲むようにして局所的に空調空気を吹き出させるような風向きである。つまり、“エアカーテン”とは、冷房気流と隣接室内機の気流とを衝突させることで下方向への気流が発生するように相互のフラップ角度を設定し、空気中の粉塵を下方向へ押しやるような風向きである。具体的に、図７では、風向パターンＩＤ２中の室内機ＩＤ２，３のモードが共に“冷房かつエアカーテン”となっている。室内機ＩＤ２のレコードでは、吹き出し口ＩＤ２のフラップ位置が“９（９０°）”となっており、これ以外の吹き出し口ＩＤ１，３〜４のフラップ位置は全て“１（水平）”となっている。また、室内機ＩＤ３のレコードでは、吹き出し口ＩＤ１のフラップ位置が“９（９０°）”となっており、これ以外の吹き出し口ＩＤ２〜４のフラップ位置は全て“１（水平）”となっている。この場合、室内機ＩＤ２に対応する室内機２ｂの吹き出し口２１ｂ，及び室内機ＩＤ３に対応する室内機２ｃの吹き出し口２１ａからは、ほぼ真下に冷気が吹き出されることになる（エアカーテン気流）。そのため、室内機２ｂ，２ｃのエアカーテン気流によって、室内機２ａが位置する空間は取り囲まれた状態となる（図２及び図１１（ｂ）参照）。
【００４５】
更に、メモリ３５は、組み合わせパターンを複数記憶する。組み合わせパターンは、図６のスケジューリング画面ｓｃ３を介してユーザ（具体的には、建物ＲＡの管理者等）により設定された組み合わせパターンである。メモリ３５は、この組み合わせパターンを、上述した風向パターン３６ａ，３６ｂ，３６ｃ・・・と同様、図８に示すような組み合わせパターンテーブル３７として記憶している。図８の組み合わせパターンテーブル３７には、組み合わせパターンそれぞれを識別するための組み合わせパターンＩＤと、所定条件としての期間及び時間帯と、風向パターンＩＤとが、１レコードとして記憶されている。
【００４６】
〔制御部〕
制御部３８は、ＣＰＵ及びＲＡＭで構成されるマイクロコンピュータであって、図５に示すように、通信部３１、操作パネル３２及びメモリ３５に接続されている。制御部３８は、接続されたこれらの機器それぞれを制御する。例えば、制御部３８は、通信部３１の通信制御や、操作パネル３２の表示操作制御を行う。
【００４７】
特に、本実施形態に係る制御部３８は、所定条件に基づいて各室内機２ａ〜２ｄの気流制御を行う。即ち、制御部３８は、所定条件に応じて風向パターンを選択し、選択した風向パターンに基づいて各室内機２ａ〜２ｄを制御する。より具体的には、制御部３８は、図８の組み合わせパターンテーブル３７内に、現在の日時が所定条件の期間及び時間帯として該当するレコードがあるか否かを判断する。該当するレコードがあれば、制御部３８は、該当レコードにおける風向パターンＩＤを抽出し、図７の風向パターンテーブル３６の中からその風向パターンＩＤに対応する室内機ＩＤやモード、フラップ位置等を全て抽出する。そして、制御部３８は、抽出した室内機ＩＤやモード、フラップ位置等に基づいて、その室内機ＩＤに対応する室内機２ａ〜２ｄの上下フラップ２２ａ〜２２ｄ及び左右ルーバ２３ａ〜２３ｄの配置角度等を制御する。
【００４８】
例えば、現在の日時が８月２日土曜日の１０時であれば、制御部３８は、図８の組み合わせパターンテーブル３７内の組み合わせパターンＩＤ２のレコードが該当すると判断し、このレコード中の風向パターンＩＤ１を抽出する。制御部３８は、風向パターンテーブル３６中の風向パターンＩＤ１に該当するレコード上から、室内機ＩＤ１〜４の各モード、吹き出し口ＩＤ１〜４のフラップ位置等を全て抽出する。そして、抽出した室内機ＩＤが“１”であって、モード“冷房”、吹き出し口ＩＤ“１”のフラップ位置が“３”、ルーバ位置が“１”、風速が“弱”、風温が“１”であることから、制御部３８は、冷房運転の指示と共に、吹き出し口２１ａから吹き出される風速が“弱”かつ風温が“１”である旨の指示を、通信部３１を介して室内機２ａに送信する。次いで、制御部３８は、吹き出し口２１ａの上下フラップ２２ａが下方に３０°回動した状態となり、かつ左右フラップ２３ａが垂直な状態となるように、上下フラップ２２ａ及び左右フラップ２３ａの配置角度の指示を室内機２ａに送信する。制御部３８は、上述したような室内機２ａへの指示の出力を、残りの吹き出し口２１ｂ〜２１ｄについても行うと共に、他の室内機２ｂ〜２ｄについても、同様に制御を行う。
【００４９】
更に、本実施形態に係る制御部３８は、操作パネル３２上から風向パターン３６ａ，３６ｂ，３６ｃ・・・の設定及び組み合わせパターンの設定が行われた場合には、設定された内容に基づいて、図７の風向パターンテーブル３６及び図８の組み合わせパターンテーブル３７を更新する。
【００５０】
（３）動作
（３−１）風向パターン登録動作及び組み合わせパターン登録動作
以下では、空調制御装置３が行う風向パターン登録動作及び組み合わせパターン登録動作の流れについて、図９を用いて説明する。
【００５１】
ステップＳ１〜Ｓ３：先ず、操作パネル３２の表示部３３に図６の画面ｓｃ１が表示され（Ｓ１）、風向パターン登録ボタンｂ１が選択されると（Ｓ２のＹｅｓ）、表示部３３は、風向パターン登録画面ｓｃ２を表示する（Ｓ３）。
【００５２】
ステップＳ４〜Ｓ７：制御部３８は、風向パターンＩＤを決定する（Ｓ４）。そして、操作パネル３２は、風向パターン登録画面ｓｃ２において、室内機ＩＤ１〜４の各吹き出し口２１ａ〜２１ｄにおけるフラップ位置、ルーバ位置、風速及びモード等が入力されると（Ｓ５）、これを受け付ける。次いで、風向パターン登録画面ｓｃ２上の登録ボタンが選択されると（Ｓ６のＹｅｓ）、制御部３８は、ステップＳ４〜Ｓ５における各種情報に基づいて、メモリ３５内の風向パターンテーブル３６を更新する（Ｓ７）。尚、ステップＳ６において、登録ボタンが選択されない場合には（Ｓ６のＮｏ）、空調制御装置３は、ステップＳ５以降の動作を繰り返す。
【００５３】
ステップＳ８〜Ｓ９：ステップＳ１において表示された画面ｓｃ１上から、スケジューリングボタンｂ２が選択されると（Ｓ８のＹｅｓ）、表示部３３は、スケジューリング画面ｓｃ３を表示する（Ｓ９）。
【００５４】
ステップＳ１０〜Ｓ１３：制御部３８は、組み合わせパターンＩＤを決定する（Ｓ１０）。そして、操作パネル３２は、スケジューリング画面ｓｃ３において、期間及び時間帯（即ち、所定条件）、風向パターンＩＤが入力されると（Ｓ１１）、これを受け付ける。次いで、スケジューリング場面ｓｃ３上の確定ボタンが選択されると（Ｓ１２のＹｅｓ）制御部３８は、ステップＳ１０〜Ｓ１１における各種情報に基づいて、メモリ３５内の組み合わせパターンテーブル３７を更新する（Ｓ１３）。尚、ステップＳ１２において、確定ボタンが選択されない場合には（Ｓ１２のＮｏ）、空調制御装置３は、ステップＳ１１以降の動作を繰り返す。
【００５５】
（３−２）気流制御動作
以下では、空調制御装置３が行う各室内機２ａ〜２ｄの気流制御動作の流れについて、図１０を用いて説明する。ここで、空調制御装置３は、既に風向パターン３６ａ，３６ｂ，３６ｃ・・・のいずれかに基づいて、各室内機２ａ〜２ｄの気流制御を行っている状態にあるとする。
【００５６】
ステップＳ２１：空調制御装置３の制御部３８は、現在の日時が、組み合わせパターンテーブル３７におけるいずれかのレコードの「期間」「時間帯」に該当するか否かを判断する。
【００５７】
ステップＳ２２：ステップＳ２１において、現在の日時が、組み合わせパターンテーブル３７中のどのレコードの「期間」「時間帯」にも該当しない場合には（Ｓ２１のＮｏ）、制御部３８は、ＰＩＤ制御に基づき、各室内機２ａ〜２ｄの気流制御を行う。ＰＩＤ制御とは、建物ＲＡ内の温度ムラを低減し、設定温度に近づけようとする制御である。つまり、ステップＳ２２では、ＰＩＤ制御に基づいて各室内機２ａ〜２ｄの気流制御が行われることで、建物ＲＡ内については、従来からの全体空調（または均一空調）が行われる。例えば、建物ＲＡ内の温度が設定温度に近づくと、風量は自動で弱風となる。
【００５８】
ステップＳ２３：ステップＳ２１において、現在の日時に該当する「期間」「時間帯」を有するレコードがある場合（Ｓ２１のＹｅｓ）、制御部３８は、該当レコードにおける風向パターン３６ａ，３６ｂ，３６ｃ・・・が、現在の室内機２ａ〜２ｄの風向パターンと同一であるか否かを確認する。
【００５９】
ステップＳ２４：ステップＳ２３において、該当レコードにおける風向パターン３６ａ，３６ｂ，３６ｃ・・・が、現在の室内機２ａ〜２ｄの風向パターンと同一である場合（Ｓ２３のＹｅｓ）、制御部３８は、各室内機２ａ〜２ｄが現在の風向パターンで引き続き運転するように、各室内機２ａ〜２ｄの気流制御を行う。
【００６０】
ステップＳ２５：ステップＳ２３において、該当レコードにおける風向パターン３６ａ，３６ｂ，３６ｃ・・・が、現在の室内機２ａ〜２ｄの風向パターンと同一でない場合（Ｓ２３のＮｏ）、制御部３８は、該当レコードから風向パターンＩＤを抽出する（Ｓ２５）。
【００６１】
ステップＳ２６：制御部３８は、ステップＳ２５で抽出した風向パターンＩＤを風向パターンテーブル３６に当てはめ、この風向パターンＩＤに対応する室内機ＩＤやモード、フラップ位置等の各種情報を全て抽出する。
【００６２】
ステップＳ２７：制御部３８は、ステップＳ２６で抽出した各種情報に基づき、各室内機２ａ〜２ｄの気流制御を行う。
【００６３】
尚、上記ステップＳ２１〜Ｓ２７からなる動作は、例えば５分毎のように、所定時間毎に空調制御装置３によって繰り返して行われる。
【００６４】
（４）気流制御の具体例
以下では、空調システム１に係る気流制御の具体例Ａ〜Ｃについて説明する。
【００６５】
（４−１）具体例Ａ
図１１は、本実施形態に係る空調システム１が、回転寿司店舗内の気流制御用として利用された場合の一例を示している。図１１（ａ）〜（ｄ）は順に、平日の１０時〜１０時半及び２２時半〜２３時の時間帯（在席率約１２％）、デフォルト時（在席率約２５％）、平日１０時半〜１１時半及び１５時〜１６時の時間帯（在席率約５０％）、週末及び休日（具体的には、金曜日、土曜日、日曜日）の１２時〜１３時及び１７時〜１９時の時間帯（在席率約１００％）の店舗内の状態を表している。尚、図１１（ａ）〜（ｄ）において、各室内機２ａ〜２ｄから延びている矢印とその太さは、それぞれ各吹き出し口２１ａ〜２１ｄから吹き出される空調空気の向きと風速（風量）とを示しており、運転中である室内機２ａ〜２ｄは、冷房運転を行っているものとする。また、図１１（ａ）〜（ｄ）に示すように、この店舗では、来店した顧客を建物ＲＡ内の左上エリアから順に案内していくとする。
【００６６】
この場合、メモリ３５内の組み合わせパターンテーブル３７には、所定条件における期間及び時間帯“平日の１０時〜１０時半”と、空調空気を室内機２ａのみから図１１（ａ）に示すように吹き出させるための風向パターンＩＤ１とを含む組み合わせパターンＩＤ１が登録される。即ち、図１１（ａ）では、顧客のいる左上エリアの室内機２ａのみが運転し、顧客のいない左下エリア及び右側エリアの室内機２ｂ〜２ｄは、運転を停止した状態となる。これにより、空調システム１内の室内機２ａ〜２ｄにより消費されるエネルギーを、最小限に抑えることができる。そして、組み合わせパターンテーブル３７には、所定条件における期間及び時間帯“平日の１０時半〜１１時半及び１５時〜１６時”と、空調空気を図１１（ｃ）に示すように全室内機２ａ〜２ｄから吹き出されるための風向パターンＩＤ２とを含む組み合わせパターンＩＤ２が登録される。ここで、風向パターンＩＤ２には、顧客のいる左側エリアの各室内機２ａ，２ｃからは４方に空調空気が吹き出されるようなパターンが含まれると共に、右側エリアの室内機２ｂ，２ｄが室内機２ａ，２ｃ方向に向かっていわゆるエアカーテン気流を行うようなパターンが含まれている。これにより、室内機２ｂ，２ｄの吹き出し口２１ｂ、及び隣接機２ａ，２ｃの吹き出し口２１ｄ双方が協調して冷気を流出し難い気流を生成する。そのため、室内機２ａ，２ｃからの冷気が顧客のいない右側エリアに不要に流出するのを防ぐことができる。
【００６７】
更に、組み合わせパターンテーブル３７には、所定条件における期間及び時間帯“週末及び休日の１２時〜１３時、１７時〜１９時”と、空調空気を図１１（ｄ）に示すように全ての室内機２ａ〜２ｄから吹き出させるための風向パターンＩＤ３とを含む組み合わせパターンＩＤ３が登録される。この組み合わせパターンＩＤ３には、全室内機２ａ〜２ｄにおいてＰＩＤ制御がなされる風向パターンと（図１１（ｄ−１））、空調空気を吹き出す吹き出し口２１ａ〜２１ｄを経時的に変えていくことで気流を旋回させる風向パターン（図１１（ｄ−２））との２つが登録されており、かつこれらの風向パターンが適宜切り替わるように登録される。より具体的には、ＰＩＤ制御に基づく室内機２ａ〜２ｄの気流制御が１時間なされた後、旋回気流制御が５分程度実施され、その後またＰＩＤ制御に基づく気流制御がなされるといった風向パターンの切り換えが、繰り返される。これにより、ＰＩＤ制御に基づく従来の気流制御（図１１（ｄ−１））により冷気溜まりが生じ、その結果室内に温度ムラが発生した場合であっても、適宜実施される旋回気流により、温度ムラは解消される。即ち、図１１（ｄ−２）に示すように気流を旋回させることで、定期的に室内全体の温度が攪拌されるため、温度ムラが解消されるようになる。
【００６８】
また、風向パターンテーブル３６には、デフォルト用風向パターンとして、図１１（ｂ）に示すように、室内機２ａのみが全方向に空調空気を吹き出し、室内機２ｂ，２ｃは室内機２ａ方向に向かってエアカーテン気流を行うといった風向パターンが登録されている。尚、上述したような組み合わせパターン及び風向パターンの登録は、店舗の閑散時間や繁盛時間を十分に把握している店舗の責任者によって行われるものとする。
【００６９】
上述した組み合わせパターンテーブル３７及び風向パターンテーブル３６を記憶する空調制御装置３は、現在の日時を組み合わせパターンテーブル３７の各所定条件に照らし合わせ、該当する組み合わせパターンの風向パターンに基づいて各室内機２ａ〜２ｄの気流制御を行う。即ち、空調制御装置３は、現在の日時に基づいて室内機２ａ〜２ｄの風向パターンを切り換える。すると、各室内機２ａ〜２ｄは、平日１０時〜１０時半及び２２時半〜２３時の時間帯には図１１（ａ）の状態、平日１０時半〜１１時半及び１５時〜１６時の時間帯には図１１（ｃ）の状態、そして週末及び休日の１２時〜１３時及び１７時〜１９時の時間帯には図１１（ｄ）の状態に、自動的に気流を変化させるようになる。尚、上記以外の時間帯においては、デフォルト用風向パターンに基づき、各室内機２ａ〜２ｄからは、図１１（ｂ）に示すように空調空気が吹き出される。
【００７０】
このように、本実施形態に係る空調システム１は、経時的に変化する店舗の混雑具合に応じて風向パターンを切り換えるように利用することができる。これにより、来店した顧客の快適席を維持することができると共に、店舗に対応した最大限の省エネ運転を行うことができる。
【００７１】
尚、例えば混雑する時間帯であるはずが実際には顧客が少ない場合や、逆に混雑しない時間帯であるはずが実際には顧客が多い場合には、店舗の責任者は、空調制御装置３の操作パネル３２を介して、その時々の混み具合に応じて風向パターンを選択することができる。この場合、空調制御装置３は、新たに選択された風向パターンを優先させるべく、この風向パターンに切換させる。
【００７２】
（４−２）具体例Ｂ
図１２は、本実施形態に係る空調システム１が、ファミリーレストランの店舗内の気流制御用として利用された場合の一例を示している。図１２（ａ）（ｂ）では、図１１（ａ）〜（ｄ）と同様、各室内機２ａ〜２ｄから延びている矢印とその太さは、それぞれ各吹き出し口２１ａ〜２１ｄから吹き出される空調空気の向きと風速（風量）とを示しており、運転中である室内機２ａ〜２ｄは、冷房運転を行っているものとする。
【００７３】
ところで、一般的に、ファミリーレストランの店舗内は、喫煙エリアと禁煙エリアとが固定されている場合が多い。そのため、例えば喫煙エリア及び禁煙エリアにおける在席率がそれぞれ５０％，１００％である状態時に、更に来店した顧客が禁煙者である場合、喫煙エリアには空いているテーブルがあるものの禁煙エリアには空いているテーブルがないため、その顧客を直ぐに案内することができない。
【００７４】
これに対し、本実施形態に係る空調システム１を利用すると、どのような時間帯にはどのような顧客が来店する傾向にあるのかといった、顧客の来店傾向に応じて喫煙エリア及び禁煙エリアの領域を変えることができる。図１２（ａ）は、喫煙エリアの領域よりも禁煙エリアの領域の方が広くなるように、各室内機２ａ〜２ｄの気流制御が行われる場合を示している。図１２（ｂ）は、喫煙エリア及び禁煙エリアがほぼ同じ大きさの領域となるように、各室内機２ａ〜２ｄの気流制御が行われる場合を示している。
【００７５】
具体的に、昼間の時間帯「９時〜１８時」は喫煙者よりも禁煙者が多く、夜の時間帯「１８時〜２３時」は禁煙者と喫煙者とが同じくらい来店するといった顧客の来店傾向を、店舗の責任者が予め把握しているとする。この場合、組み合わせパターンテーブル３７には、所定条件における期間及び時間帯“平日の９時〜１８時”と、空調空気を各室内機２ａ〜２ｄから図１２（ａ）に示すように吹き出させるための風向パターンＩＤ１とを含む組み合わせパターンＩＤ１が登録される。即ち、この風向パターンＩＤ１は、室内機２ａ，２ｃからは４方に空調空気が吹き出され、室内機２ｂ，２ｄからは壁に近い側の吹き出し口２１ｄを除く３つの吹き出し口２１ａ〜２１ｃを介して空調空気が吹き出されるようなパターンであると言える。特に、この風向パターンＩＤ１には、室内機２ｂ，２ｃの各吹き出し口のうち室内機２ａ側の吹き出し口、及び室内機２ｄの吹き出し口のうち室内機２ｂ側の吹き出し口からは、エアカーテン気流が行われるようなパターンが含まれる。
【００７６】
また、組み合わせパターンテーブル３７には、所定条件における期間及び時間帯“平日の１８時〜２３時”と、空調空気を各室内機２ａ〜２ｄから図１２（ｂ）に示すように吹き出させるための風向パターンＩＤ２とを含む組み合わせパターンＩＤ２が、更に登録される。即ち、この風向パターンＩＤ２は、上記風向パターンＩＤ１と同様、室内機２ａ，２ｃからは４方に空調空気が吹き出され、室内機２ｂ，２ｄからは３方に空調空気が吹き出されるパターンであると言える。特に、この風向パターンＩＤ２には、室内機２ｃ，２ｄの各吹き出し口のうち室内機２ａ，２ｂ側の吹き出し口からは、エアカーテン気流が行われるようなパターンが含まれる。
【００７７】
上述した組み合わせパターンテーブル３７及び風向パターンを記憶する空調制御装置３は、現在の時刻を組み合わせパターンテーブル３７の所定条件に照らし合わせ、該当する組み合わせパターンの風向パターンに基づいて各室内機２ａ〜２ｄの気流制御を行う。すると、各室内機２ａ〜２ｄは、９時〜１８時の時間帯には図１２（ａ）の状態、１８時〜２３時の時間帯には図１２（ｂ）の状態に、自動的に気流を変化させるようになる。これにより、９時〜１８時の時間帯においては、室内機２ａの位置するエリアが各室内機２ａ〜２ｄからの空調空気によって取り囲まれるため、取り囲まれたエリアを喫煙エリアとして利用することができる。そして、１８時〜２３時の時間帯においては、各室内機２ａ〜２ｄからの空調空気により、店舗内が、室内機２ａ，２ｂの位置するエリアと室内機２ｃ，２ｄの位置するエリアとに分けられる。従って、各エリアを喫煙エリアまたは禁煙エリアとして利用することができる。特に、本実施形態では、エアカーテンによってエリア分けを行っているため、空調空気によって取り囲まれたエリアから他のエリアへは、空調空気が流出しにくくなる。従って、たばこの煙が禁煙エリア側に流出するのを防ぐことができる。
【００７８】
尚、上記では、一日の時間帯に応じて風向パターンの切換が行われることで、店舗内が禁煙エリアと喫煙エリアとに分けられる場合について説明したが、風向パターンは、曜日や最近の顧客の動向等に応じて切り換えられてもよい。
【００７９】
（４−３）具体例Ｃ
図１３は、本実施形態に係る空調システム１が、営業オフィス内の気流制御用として利用された場合の一例を示している。図１３（ａ）（ｂ）では、図１１（ａ）〜（ｄ）や図１２（ａ）（ｂ）と同様、各室内機２ａ〜２ｄから延びている矢印とその太さは、それぞれ各吹き出し口２１ａ〜２１ｄから吹き出される空調空気の向きと風速（風量）とを示しており、運転中である室内機２ａ〜２ｄは、冷房運転を行っているものとする。
【００８０】
例えば、平日の９時〜１０時の時間帯、１２時〜１３時の時間帯、及び１７時〜１８時の時間帯においては在席率が１００％に近い状態となるが（図１３（ａ））、その他の時間帯においては営業に出かける社員が多く、エリア的には２５％、在席率は略３３％未満となることを、オフィスの管理者が把握しているとする。この場合、組み合わせパターンテーブル３７には、所定条件における期間及び時間帯“平日の９時〜１０時”“平日の１２時〜１３時”“平日の１７時〜１８時”と、空調空気を各室内機２ａ〜２ｄから図１３（ａ）に示すように吹き出させるための風向パターンＩＤ１とを含む組み合わせパターンＩＤ１が登録される。即ち、この風向パターンＩＤ１は、室内機２ａ〜２ｄ全てが４方向に風速“強”で空調空気を吹き出すパターンであると言える。
【００８１】
また、風向パターンテーブル３６には、デフォルト用風向パターンとして、図１３（ｂ）に示すように、室内機２ａは４方向に風速“弱”で空調空気を吹き出し、室内機２ｂ，２ｃは室内機２ａ方向に向かってエアカーテン気流を行い、室内機２ｄは運転停止といった風向パターンが登録されているとする。
【００８２】
上述したような組み合わせパターンテーブル３７及び風向パターンテーブル３６を記憶する空調制御装置３は、現在の日時を組み合わせパターンテーブル３７の各所定条件に照らし合わせ、該当する組み合わせパターンの風向テーブルに基づいて各室内機２ａ〜２ｄの気流制御を行う。すると、全社員が在席しているような状態では、オフィス内全体に空調空気が行き渡るが（図１３（ａ））、在席率が３３％未満の場合には、室内機２ａが配置されているエリアｓｑがエアカーテン気流によって取り囲まれ、かつこのエリアｓｑ内は室内機２ａによって空調空気が行き渡るようになる（図１３（ｂ））。従って、営業オフィスにいる社員の人数が時間帯によって激しく変わる場合であっても、人数に応じた空調を行うことができるため、営業オフィス内の室内機２ａ〜２ｄによって消費されるエネルギーを最小限に抑えることができる。
【００８３】
（５）効果
（Ａ）
本実施形態に係る空調システム１によると、所定条件に応じて風向パターン３６ａ，３６ｂ，３６ｃ・・・が切り換えられる。そのため、室内機２ａ〜２ｄの各吹き出し口２１ａ〜２１ｄから吹き出される空調空気の風向きは、ユーザからの直接の指示がなくとも、所定条件に応じて変更される。従って、室内機２ａ〜２ｄが設置された環境等に応じて、きめ細かい気流制御が行われるようになる。
【００８４】
（Ｂ）
また、風向パターン３６ａ，３６ｂ，３６ｃ・・・には、各吹き出し口２１ａ〜２１ｄから吹き出される空調空気の風向きの他に、風速及び風温の少なくとも１つが更に含まれる。そのため、風向パターン３６ａ，３６ｂ，３６ｃ・・・の切換が行われた際、室内機２ａ〜２ｄの各吹き出し口２１ａ〜２１ｄから吹き出される空調空気の風向きだけではなく、風速及び風温も切り換えられるようになる。従って、室内機２ａ〜２ｄが設置された環境等に適した気流制御が行われるようになる。
【００８５】
（Ｃ）
また、所定条件には、現在の時刻が所定の時間帯に該当するという条件が含まれるため、現在の時刻に応じてより適切な気流制御が行われるようになる。
【００８６】
（Ｄ）
ここで、室内機２ａ〜２ｄは、上下フラップ２２ａ〜２２ｄ及び左右ルーバ２３ａ〜２３ｄを有しており、空調制御装置３の制御部３８は、選択した風向パターン３６ａ，３６ｂ，３６ｃ・・・に基づいて、上下フラップ２２ａ〜２２ｄ及び左右ルーバ２３ａ〜２３ｄの配置角度を制御する。これにより、室内機２ａ〜２ｄの各吹き出し口２１ａ〜２１ｄからは、様々な方向に空調空気が吹き出されるようになる。
【００８７】
（Ｅ）
また、空調システム１には、いわゆる多方向吹きの室内機２ａ〜２ｄが複数台設けられている。そして、１つの風向パターン３６ａ，３６ｂ，３６ｃ・・・には、各室内機２ａ〜２ｄにおける複数の吹き出し口２１ａ〜２１ｄそれぞれから吹き出される空調空気の風向きが含まれている。従って、空調制御装置３の制御部３８は、各室内機２ａ〜２ｄにおける複数の吹き出し口２１ａ〜２１ｄそれぞれから吹き出される空調空気の風向きを、１つの風向パターン３６ａ，３６ｂ，３６ｃ・・・に基づいて同時に変更することができる。
【００８８】
（Ｆ）
更に、風向パターン３６ａ，３６ｂ，３６ｃ・・・には、所定空間を取り囲むようにして空調空気を吹き出させるような風向きが含まれている。従って、冷房運転を行う室内機２ａの吹き出し口２１ｄと隣接機２ｂの吹き出し口２１ｂ、及び室内機２ａの吹き出し口２１ｃと隣接機２ｃの吹き出し口２１ａ双方が協調して冷気を流出し難い気流を発生させることができる。これにより、例えば冷房運転による冷気が所定空間外に漏れることを防ぐことができる。
【００８９】
＜第２実施形態＞
（１）構成
図１４は、本発明の第２実施形態に係る空調システム１０１の構成を概略的に示す図である。この空調システム１０１は、現在の時刻に基づいて各室内機１０２ａ〜１０２ｄの気流制御を行うだけではなく、更に外気温度に基づいて各室内機１０２ａ〜１０２ｄの気流制御を行うシステムである。図１４の空調システム１０１は、主として、複数の室内機１０２ａ〜１０２ｄ、空調制御装置１０３、及び外気温度センサ１０４（温度検知部に相当）を備えている。そして、空調制御装置１０３は、図１５に示すように、通信部１３１、表示部１３３と操作部１３４とで構成される操作パネル１３２、風向パターン１３６ａ，１３６ｂ，１３６ｃ・・・と組み合わせパターンテーブル１３７とを記憶するメモリ１３５、及び制御部１３８を有する。
【００９０】
尚、本実施形態に係る室内機１０２ａ〜１０２ｄ、空調制御装置１０３の通信部１３１、操作パネル１３２及びメモリ１３５は、第１実施形態において同じ名称を付した室内機２ａ〜２ｄ、空調制御装置３の通信部３１、操作パネル３２及びメモリ３５と同様であるため、詳細な説明を省略する。以下では、本実施形態に係る外気温度センサ１０４と空調制御装置３の制御部１３８について説明する。
【００９１】
外気温度センサ１０４は、建物ＲＡの外に設置されており、空調制御装置１０３と配線を介して接続されている。外気温度センサ１０４は、建物ＲＡ外の温度（即ち、外気温度）を検知する。外気温度センサ１０４により検知された室外の温度は、空調制御装置１０３に取り込まれ、室内機１０２ａ〜１０２ｄの気流制御に用いられる。
【００９２】
空調制御装置１０３の制御部１３８は、第１実施形態のように現在の時刻だけではなく、更に外気温度に応じて風向パターン１３６ａ，１３６ｂ，１３６ｃ・・・を選択し、選択した風向パターンに基づいて各室内機１０２ａ〜１０２ｄの気流制御を行う。具体的には、制御部１３８は、現在の日時及び外気温度を組み合わせパターンテーブル１３７（図１６）内の各所定条件に照らし合わせ、該当するレコードがあれば、現在の室内機１０２ａ〜１０２ｄの風向パターンをそのレコードの風向パターンに切り換える。
【００９３】
ここで、本実施形態に係る組み合わせパターンテーブル１３７には、図１６に示すように、時間帯に関する条件“７月〜８月／毎日／１１時〜１６時”が所定条件である組み合わせパターンＩＤ１や、外気温度に関する条件“外気温度≧３０℃（第１閾値に相当）”が所定条件である組み合わせパターンＩＤ２が含まれている。尚、時間帯に関する条件“７月〜８月／毎日／１１時〜１６時”は、日差しが強く、建物ＲＡの窓際への日射量が比較的多い時間帯を表している。そして、組み合わせパターンＩＤ１，２には、共に同じ風向パターンＩＤ４が含まれているが、風向パターンＩＤ４は、最も温度が上昇する窓際付近に冷風を吹き付けるようなパターンを表すものとする。
【００９４】
上記組み合わせパターンテーブル１３７によると、制御部１３８は、各室内機１０２ａ〜１０２ｄについて、風向パターンＩＤ４以外の風向パターンに基づく気流制御が行われている場合において、現在の日時が上記条件“７月〜８月／毎日／１１時〜１６時”に該当するか、または外気温度が“３０℃以上”となれば、現在の風向パターンを風向パターンＩＤ４に切り換える。
【００９５】
尚、図１６の組み合わせパターンテーブル１３７は、更に条件“７月〜８月／毎日／９時〜１１時”及び風向パターンＩＤ１が対応づけられた組み合わせパターンＩＤ３が含まれている。現在の日時が組み合わせパターンＩＤ３の所定条件に該当するため、風向パターンＩＤ１に基づく気流制御がなされている時に、更に外気温度が３０℃以上となった場合には、制御部１３８は、外気温度に基づく組み合わせパターンＩＤ２を優先させる。即ち、制御部１３８は、室内機１０２ａ〜１０２ｄ現在の風向パターンを、風向パターンＩＤ１から風向パターンＩＤ４に切り換える。
【００９６】
また、第１実施形態と同様、本実施形態に係る風向パターン１３６ａ，１３６ｂ，１３６ｃ・・・は、空調システム１０１の施工業者によって登録され、組み合わせパターンは、建物ＲＡの管理者等により適宜登録される。
【００９７】
（２）効果
本実施形態に係る空調システム１０１には、室外の温度を検知するための外気温度センサ１０４が更に備えられている。そして、所定条件には、外気温度センサ１０４により検知された室外の温度が第１閾値以上であるという条件が更に含まれる。これにより、例えば現在の室外温度が３０℃以上である場合には、例えば窓際付近に冷風を吹き付けるような風向パターンを選択することができる。つまり、空調システム１０１は、室内を弱冷房のままにし、暑くなった箇所のみ強冷房にすることができる。従って、室外温度が第１閾値以上であるにもかかわらず、気流制御の切換を行わずに放置したことで室内全体が暑くなってしまったため、室内全体の冷房を強化する場合よりも、室内機１０２ａ〜１０２ｄにより消費されるエネルギーを最小限に抑えることができる。また、現在の室外温度に応じてより室内が快適となるような気流制御を行うことができる。
【００９８】
＜その他の実施形態＞
（ａ）
上記第１実施形態の「（４―１）具体例Ａ（図１１）」では、混雑する時間帯であるはずが実際には顧客が少ない場合や、逆に混雑しない時間帯であるはずが実際には顧客が多い場合には、店舗の責任者の判断によって風向パターンが選択されると説明した。しかし、図１７の空調システム２０１に示すように、建物ＲＡ内に実際にいる顧客の人数や顧客がいる付近の温度等を検知するセンサノード２０４ａ，２０４ｂ，２０４ｃ，２０４ｄを、建物ＲＡ内に設けておき、空調制御装置３が、これらのセンサノード２０４ａ〜２０４ｄの検知結果に基づいて風向パターンを選択してもよい。例えば、空調制御装置３は、各センサノード２０４ａ〜２０４ｄの検知結果に基づいて、顧客が不在であるエリアを判断し、この判断結果に基づいて風向パターンを選択する。
【００９９】
ここで、センサノード２０４ａ〜２０４ｄとしては、焦電センサ、サーモパイルセンサ、カメラの他、無線ＬＡＮ対応携帯またはタグ、ＲＦＩＤタグ、ＺｉｇＢｅｅ準拠の無線センサ等が挙げられる。例えば、図１８に示すように、各センサノード２０４ａ〜２０４ｄは、顧客の人数や温度等の検知を行うことが可能な範囲を有しており、各範囲を考慮して互いに離れるようにして設置されるとする。尚、図１８では、室内機２ａ〜２ｄは、上記実施形態１に係る図２よりも建物ＲＡ内の壁側に設置されている場合を例に取っている。
【０１００】
この場合、各センサノード２０４ａ〜２０４ｄのうち少なくとも１つの検知結果が例えば顧客の人数が“０”である旨の結果、即ち不在を示す結果であれば、空調制御装置３は、その検知結果を出力するセンサノード２０４ａ〜２０４ｄの検知可能範囲には顧客がいないと判断することができる。そして、空調制御装置３は、冷やされた空調空気が該範囲には流れないような風向パターンを選択することができる。
【０１０１】
上述した方法によると、店舗の責任者が自ら判断して風向パターンを選択せずとも、空調制御装置３が自動で適切な風向パターンに切り換えるため、責任者が店舗内に常に気を配らずともよくなる。
【０１０２】
尚、センサノード２０４ａ〜２０４ｄとして焦電センサ、サーモパイルセンサ、カメラ等が用いられている場合には、空調制御装置３は、図１８に示す焦電センサ、サーモパイルセンサ、カメラ等の検知可能範囲（即ち、検知可能な領域）に基づいて、不在と判断する領域を考慮するとよい。
【０１０３】
（ｂ）
上記第１実施形態では、４台の室内機２ａ〜２ｄが、建物ＲＡ内に図２に示すようにして配置される場合について説明した。しかし、建物ＲＡ内に配置される室内機の数は４台に限定されず、また設置位置についても、図２に限定されず、どのように配置されてもよい。
【０１０４】
特に、建物ＲＡ内に配置される室内機が１台である場合には、上記第１実施形態のように空調空気を４方向へ吹き出すタイプの他、ダブルフロータイプ等のように、複数の吹き出し口が設けられ、複数の方向に空調空気を吹き出すことができるタイプの室内機が用いられる。このような室内機についても、空調制御装置は、時間帯などの所定条件に基づいて、各吹き出し口から吹き出される空調空気の風向パターンを適宜切り換えることができるため、１台の室内機からは、選択された風向パターンに応じて、空調空気が様々な方向に吹き出されるようになる。
【０１０５】
また、建物ＲＡ内に配置される室内機が２台以上である場合、室内機の種類としては、空調空気を４方向へ吹き出すタイプ、ダブルフロータイプの他に、シングルフロータイプを用いることができる。このような複数の室内機についても、空調制御装置は、各吹き出し口から吹き出される空調空気の風向きを、１つの風向パターンに基づいて同時に変更することができる。
【０１０６】
（ｃ）
上記第１及び第２実施形態では、室内機２ａ〜２ｄ，１０２ａ〜１０２ｄが、天井設置タイプの室内機である場合を例にとり説明した。しかし、本発明に係る室内機は、天井設置タイプに限定されず、天井埋込タイプや天井吊り下げタイプ、ダクト式（天井吹き出し、床吹き出し）タイプ等、吹き出し口毎に風向及び風速を制御できるものであれば、どのようなタイプの室内機であってもよい。
【０１０７】
（ｄ）
上記第１及び第２実施形態に係る空調システム１，１０１では、図１及び図１４に示すように、各室内機２ａ〜２ｄ，１０２ａ〜１０２ｄの気流制御を行う制御機構を、空調制御装置３として室内機２ａ〜２ｄ，１０２ａ〜１０２ｄとは別途設けていた。しかし、気流制御用の制御機構は、複数の室内機それぞれとは別途設けられるのではなく、いずれかの室内機の中に搭載されていてもよい。
【０１０８】
（ｅ）
上記第１及び第２実施形態では、所定条件が時間帯及び外気温度に基づく条件である場合について説明した。しかし、所定条件は、時間帯や外気温度以外に、夏や冬等の季節に関する条件であってもよい。
【０１０９】
（ｆ）
上記第１及び第２実施形態では、図１及び図１４に示すように、空調制御装置３，１０３には、室内機が単に並べられた画面が通常表示されており、更に風向パターンに関する設定が図６の画面によって決定される場合について説明した。しかし、空調制御装置３，１０３には、図１９に示すような画面が通常表示されており、更に風向パターン等の各種設定は、この図１９の画面によって行われても良い。
【０１１０】
図１９は、風向パターンに関する各種設定を行うことができる画面例を示す。図１９に係る画面には、テーブルや複数の室内機の設置位置を示す室内レイアウトが表示されている。この図１９の画面においては、各テーブルや室内機等がペン型のポインティングデバイス等で直接選択可能に表示されている。店舗の責任者等は、図１９の画面上においてテーブルを選択することにより、不在エリアの設定、気流を当てたくないゾーンの指定等を行うことができる。また、店舗の責任者等は、図１９の画面上において室内機の各吹き出し口等を選択することにより、各室内機の風向パターンの選択等を行うことができる。
【０１１１】
尚、図１９の室内レイアウトは、例えば空調システム１，１０１の施工業者によって登録される。
【０１１２】
（ｇ）
上記第１及び第２実施形態では、風向パターン３６ａ，３６ｂ・・・，１３６ａ，１３６ｂ・・・が、操作部３６，１３６上のキーを押したりペン型のポインティングデバイスで表示部３３，１３３に直接触れたりすることで登録される場合について説明した。しかし、風向パターンの登録方法は、上記方法に限定されない。例えば、風向パターンは、レイアウト図面等の幾何データを基にＰＣ上等で自動的に確定されてもよい。この場合、確定結果である風向パターンは、ＳＤカードやＰＣカード経由で、リモートコントローラまたはサーバＰＣにおける風向パターンデータベースに格納される。
【０１１３】
（ｈ）
上記第１実施形態に係る図１０では、ステップＳ２１において、現在の日時が組み合わせパターンテーブル３７中のどのレコードの「期間」「時間帯」にも該当しない場合には（Ｓ２１のＮｏ）、ＰＩＤ制御に基づいて各室内機の気流制御（即ち、均一空調）が行われる（Ｓ２２）と説明した。しかし、ステップＳ２２において、ＰＩＤ制御が行われる代わりに、デフォルトとして設定されている風向パターンに基づき、各室内機２ａ〜２ｄの気流制御が行われても良い。尚、デフォルト設定されている風向パターンは、予めメモリ３５に記憶されており、例えば、全ての室内機２ａ〜２ｄの各吹き出し口２１ａ〜２１ｄから均等に空調空気が吹き出されるパターンが挙げられる。
【０１１４】
（ｉ）
上記第１実施形態に係る具体例Ａでは、図１１（ｄ）に示すように、在席率１００％の時間帯においては、ＰＩＤ制御に基づく従来の気流制御が行われた後、旋回気流が行われるといった場合について説明した。しかし、風向パターンの組み合わせは、これに限定されない。風向パターンの組み合わせのその他の例としては、４方向に風量“強”の空調空気が３０分吹き出されるパターンと、旋回気流が３０分行われるといったパターンとの組み合わせ等が挙げられる。該組み合わせの場合、４方向に空調空気が吹き出された動作と旋回気流が行われる動作とが、３０分毎に切り換えられる。
【０１１５】
（ｊ）
上記第２実施形態では、図１６中の“外気温度≧３０℃”に示されるように、所定条件として、外気温度が第１閾値以上であるという条件が含まれている場合について説明した。しかし、外気温度についての所定条件は、これに限定されず、例えば“外気温度と室内温度との差≧８℃”のように、外気温度と室内温度との差が第２閾値以上であるという条件であってもよい。
【産業上の利用可能性】
【０１１６】
本発明に係る空調システムは、空調部が設置された環境等に応じてきめ細かい気流制御を行うことができるという効果を有する。従って、本発明に係る空調システムは、飲食店等の店舗や、事務所等の比較的広い空間を空調対象とする空調システムとして利用することができる。
【図面の簡単な説明】
【０１１７】
【図１】第１実施形態に係る空調システムの概略構成図。
【図２】建物内を上から見た場合における室内機及び空調制御装置の配置図。
【図３】第１実施形態に係る室内機の構成を模式的に示す図。
【図４】（ａ）上下フラップの採り得る位置を説明するための図。（ｂ）左右ルーバの採り得る位置を説明するための図。
【図５】第１実施形態に係る空調制御装置の構成を模式的に示す図。
【図６】空調制御装置の表示部に表示される画面例。
【図７】第１実施形態に係る風向パターンテーブルの概念図。
【図８】第１実施形態に係る組み合わせパターンテーブルの概念図。
【図９】第１実施形態に係る風向パターン登録動作及び組み合わせパターン登録動作の流れを説明するためのフローチャート。
【図１０】第１実施形態に係る室内機の気流制御動作を説明するためのフローチャート。
【図１１】第１実施形態に係る空調システムの気流制御の具体例Ａを説明するための図。
【図１２】第１実施形態に係る空調システムの気流制御の具体例Ｂを説明するための図。
【図１３】第１実施形態に係る空調システムの気流制御の具体例Ｃを説明するための図。
【図１４】第２実施形態に係る空調システムの概略構成図。
【図１５】第２実施形態に係る空調制御装置の構成を模式的に示す図。
【図１６】第２実施形態に係る組み合わせパターンテーブルの概念図。
【図１７】その他の実施形態（ａ）に係る空調システムの概略構成図。
【図１８】その他の実施形態（ａ）におけるセンサノードの配置と、各センサノードの検知可能領域とを示す図。
【図１９】その他の実施形態（ｆ）に係る空調システムの概略構成図。
【符号の説明】
【０１１８】
１，１０１  空調システム
２ａ〜２ｄ，１０２ａ〜１０２ｄ  空調機
３，１０３  空調制御装置
２１ａ〜２１ｄ，１２１ａ〜１２１ｄ  吹き出し口
２２ａ〜２２ｄ  上下フラップ
２３ａ〜２３ｄ  左右ルーバ
３１，１３１  通信部
３２，１３２  操作パネル
３３，１３３  表示部
３４，１３４  操作部
３５、１３５  メモリ
３６、１３６  風向パターンテーブル
３６ａ〜３６ｃ、１３６ａ〜１３６ｃ  風向パターン
３７，１３７  組み合わせパターンテーブル
３８，１３８  制御部
１０４  外気温度センサ
２０４ａ〜２０４ｄ  センサノード
【図１】
2009299965.tif 000003
【図２】
2009299965.tif 000004
【図３】
2009299965.tif 000005
【図４】
2009299965.tif 000006
【図５】
2009299965.tif 000007
【図６】
2009299965.tif 000008
【図７】
2009299965.tif 000009
【図８】
2009299965.tif 000010
【図９】
2009299965.tif 000011
【図１０】
2009299965.tif 000012
【図１１】
2009299965.tif 000013
【図１２】
2009299965.tif 000014
【図１３】
2009299965.tif 000015
【図１４】
2009299965.tif 000016
【図１５】
2009299965.tif 000017
【図１６】
2009299965.tif 000018
【図１７】
2009299965.tif 000019
【図１８】
2009299965.tif 000020
【図１９】
2009299965.tif 000021